(57)【特許請求の範囲】
【請求項１】
浴室を構成する側壁パネルどうしの隙間に沿って延在され、この延在方向に沿って両側の側壁パネルの双方に接触するコーナーパッキンと、
浴室を構成する天井パネル及び床パネルの少なくとも一方と前記コーナーパッキンとの間に位置するようにコーナーパッキンの長手方向の端部に取り付けられた止水部材と、
を有する浴室用コーナー部材。
【請求項２】
前記止水部材が前記コーナーパッキンに嵌め込まれて取り付けられている請求項１に記載の浴室用コーナー部材。
【請求項３】
前記コーナーパッキンが、前記側壁パネルの幅方向の端面にそれぞれ係止される一対の係止片を備え、
前記止水部材が、前記係止片に装着される装着部を有する請求項１又は請求項２に記載の浴室用コーナー部材。
【請求項４】
前記係止片が、前記側壁パネルの幅方向の端面に沿う形状とされている請求項３に記載の浴室用コーナー部材。
【請求項５】
浴室を構成する複数枚の側壁パネルと、
前記浴室を構成する床パネル及び天井パネルと、
前記側壁パネルどうしの隙間に配置された請求項１〜請求項４のいずれか１項に記載の浴室用コーナー部材と、
を有する浴室構造。
【発明の詳細な説明】
【技術分野】
【０００１】
本発明は、浴室用コーナー部材、及び浴室構造に関し、さらに詳しくは、浴室を構成する側壁パネルどうしの隙間に配置される浴室用コーナー部材と、この浴室用コーナー部材を用いた浴室構造に関する。
【背景技術】
【０００２】
浴室構造として、特許文献１には、隣接直交する壁パネルの間のコーナー支柱に、コーナー目地を嵌め込んで、壁パネルの隙間を止水するようにした構造のものが記載されている。
【０００３】
ところで、このようなコーナー目地を用いても、コーナー目地の長手方向端部と、床パネルや天井パネルの間には隙間が生じる。この隙間にコーキング材を充填して止水することが行われるが、コーキング材の充填する作業が必要で、作業性の改善が望まれる。
【先行技術文献】
【特許文献】
【０００４】
【特許文献１】特開２００６−１８３４３８号公報
【発明の概要】
【発明が解決しようとする課題】
【０００５】
本発明は、上記事実を考慮し、コーナーパッキンと床パネル又は天井パネルとの間へのコーキング材の充填が不要で、作業性に優れる浴室用コーナー部材と、この浴室用コーナー部材を用いた浴室構造を得ることを課題とする。
【課題を解決するための手段】
【０００６】
請求項１に記載の発明では、浴室を構成する側壁パネルどうしの隙間に沿って延在され、この延在方向に沿って両側の側壁パネルの双方に接触するコーナーパッキンと、浴室を構成する天井パネル及び床パネルの少なくとも一方と前記コーナーパッキンとの間に位置するようにコーナーパッキンの長手方向の端部に取り付けられた止水部材と、を有する。
【０００７】
この浴室用コーナー部材では、浴室を構成する側壁パネルどうしの隙間に沿って、コーナーパッキンが延在される。すなわち、コーナーパッキンの両側に側壁パネルが位置することになる。コーナーパッキンには、長手方向の端部に止水部材が取り付けられており、浴室を構成する天井パネル及び床パネルの少なくとも一方とコーナーパッキンとの間に、この止水部材が位置する。したがって、隣接する２枚の側壁パネルと床パネルや天井パネルとの間（いわゆる三方角部分）を止水部材によって止水することができる。止水のために従来のようなコーキング材を充填する必要がないので、作業性に優れる。
【０００８】
請求項２に記載の発明では、請求項１に記載の発明において、前記止水部材が前記コーナーパッキンに嵌め込まれて取り付けられている。
【０００９】
このように、止水部材をコーナーパッキンに嵌め込むことで、簡便に止水部材をコーナーパッキンに取り付けできる。また、止水部材はコーナーパッキンに対し着脱できるので止水部材の材質や形状を適宜選択して、コーナーパッキンに取り付けることも可能になる。
【００１０】
請求項３に記載の発明では、請求項１又は請求項２に記載の発明において、前記コーナーパッキンが、前記側壁パネルの幅方向の端面にそれぞれ係止される一対の係止片を備え、前記止水部材が、前記係止片に装着される装着部を有する。
【００１１】
すなわち、係止片を側壁パネルの端面に係止させることで、コーナーパッキンを、側壁パネルどうしの隙間に沿って延在させた状態で、側壁パネルに確実に取り付けることができる。
【００１２】
止水部材は、装着部を係止片に装着するだけでコーナーパッキンに取り付けできるので、取付構造が簡単になる。
【００１３】
請求項４に記載の発明では、前記係止片が、前記側壁パネルの幅方向の端面に沿う形状とされている。
【００１４】
係止片が側壁パネルの幅方向の端面に沿っているので、少ないスペースであっても係止片を側壁パネルの幅方向の端面に係止させることができる。
【００１５】
請求項５に記載の発明では、浴室を構成する複数枚の側壁パネルと、前記浴室を構成する床パネル及び天井パネルと、前記側壁パネルどうしの隙間に配置された請求項１〜請求項４のいずれか１項に記載の浴室用コーナー部材と、を有する。
【００１６】
この浴室構造では、複数枚の側壁パネルと、床パネル及び天井パネルによって浴室が構成される。側壁パネルどうしの隙間には、請求項１〜請求項４のいずれか１項に記載の浴室用コーナー部材が配置されているので、隣接する２枚の側壁パネルと床パネル及び天井パネルの少なくとも一方との間を止水部材によって止水することができる。また、従来のようなコーキング材を充填する必要がないので、作業性に優れる。
【発明の効果】
【００１７】
本発明は上記構成としたので、コーナーパッキンと床パネル又は天井パネルとの間へのコーキング材の充填が不要で、作業性に優れる。
【図面の簡単な説明】
【００１８】
【図１】本発明の一実施形態の浴室用コーナー部材が用いられた浴室構造を、コーナー部及びその近傍で部分的に拡大して示す一部破断斜視図である。
【図２】本発明の一実施形態の浴室用コーナー部材が用いられた浴室構造を、コーナー部及びその近傍で部分的に拡大して示す水平方向の断面図である。
【図３】本発明の一実施形態の浴室用コーナー部材を示す斜視図である。
【図４】本発明の一実施形態の浴室用コーナー部材を示す分解斜視図である。
【発明を実施するための形態】
【００１９】
図１には、本発明の一実施形態の浴室用コーナー部材２４が用いられた浴室構造１４が、コーナー部１４Ｃ及びその近傍で部分的に拡大して示されている。また、図２には、浴室構造１４が図１におけるＩＩ−ＩＩ線断面図にて示されている。
【００２０】
図２に示すように、建物内には、コーナー支柱１６が立設されており、このコーナー支柱１６が、浴室構造１４のコーナー部１４Ｃに位置している。浴室構造１４は、複数枚の側壁パネル１８を備えており、これら側壁パネル１８が、浴室構造１４における幅方向（矢印Ｗ１方向）及び奥行方向（矢印Ｄ１方向）に１枚又は所定枚数並べて配置されることで、その内部が、浴室１２となる。なお、浴室１２の下部には床パネル２０が配置される。また、浴室１２の上部には、天井パネル２２が配置される。
【００２１】
側壁パネル１８のそれぞれは、略板状又は略フレーム状のパネル本体１８Ｂを有している。このパネル本体１８Ｂの一方の面には化粧板１８Ｄが貼着されている。側壁パネル１８は、化粧板１８Ｄが浴室１２の内部を向くように建物内に配置される。化粧板１８Ｄは、パネル本体１８Ｂよりも側方に延出されるとともに、延出端部分で略直角に折り曲げられており、側壁パネル１８の端面１８Ｔを構成している。側壁パネル１８が所定の位置に取り付けられた状態で、端面１８Ｔとコーナー支柱１６との間に所定の間隙Ｄ１が構成されている。また、コーナー部１４Ｃでは、２枚の側壁パネル１８の間に隙間Ｄ２が生じており、この隙間Ｄ２が、本実施形態に係る浴室用コーナー部材２４によって埋められて解消される。
【００２２】
図３及び図４に示すように、浴室用コーナー部材２４は、長尺状に形成されたコーナーパッキン２６を有している。コーナーパッキン２６は、長手方向に沿って（矢印Ａ１方向に）見たときに円弧状に湾曲した、硬質の材料（たとえば硬質塩化ビニール等の硬質樹脂）製のパッキン本体２８を有している。パッキン本体２８の外側面（曲率半径の大きい方の面）２８Ｓからは、パッキン本体２８と同方向を長手方向とする２本の係止片３０が突設されている。係止片３０のそれぞれの先端部分には先細り状に形成されたテーパー面３０Ｔと、テーパー面３０Ｔの反対側の係止面３０Ｋが形成されている。係止片３０のそれぞれは、図２から分かるように、側壁パネル１８の端面１８Ｔとコーナー支柱１６との間の間隙Ｄ１に、浴室１２の内側から挿入される。
【００２３】
ここで、係止片３０はテーパー面３０Ｔによって先細り形状となっているので、容易に挿入できる。そして、所定位置まで係止片３０が挿入されると、係止面３０Ｋが側壁パネル１８の端面１８Ｔの奥辺１８Ｋに係止され、浴室用コーナー部材２４が、コーナー部１４Ｃの所定位置、すなわち２枚の側壁パネル１８の間の隙間Ｄ２の位置に取り付けられる。このとき、係止片３０は、側壁パネル１８の端面１８Ｔに沿って（特に本実施形態では端面１８Ｔに接触して）隙間Ｄ１に挿入される形状とされている。したがって、隙間Ｄ１が狭い場合でも、コーナーパッキン２６を隙間Ｄ１に挿入し、係止面３０Ｋを側壁パネル１８の奥辺１８Ｋに係止させることができる。
【００２４】
パッキン本体２８の幅方向（矢印Ｗ２方向）の両辺には、軟質の材料（たとえば軟質塩化ビニール等の軟質樹脂）で長尺状に形成された密着片３２が取り付けられている。密着片３２は、その長手方向にはパッキン本体２８と同じ長さを有している。図１及び図２に示すように、浴室用コーナー部材２４が２枚の側壁パネル１８の間の隙間Ｄ２に取り付けられた状態で、密着片３２のそれぞれが、対応する側壁パネル１８の化粧板１８Ｄに、浴室１２の内側から接触（密着）する。これにより、隙間Ｄ２が浴室用コーナー部材２４で止水される。なお、本実施形態のコーナーパッキン２６は、パッキン本体２８、係止片３０及び密着片３２により構成されている。
【００２５】
図３及び図４に示すように、コーナーパッキン２６の長手方向の端部には、軟質の材料（たとえば、軟質塩化ビニール等の軟質樹脂や、ＥＰＤＭ（エチレン−プロピレン−ジエンゴム等のゴム）で形成された止水部材３４が取り付けられている。止水部材３４は、パッキン本体２８の内面２８Ｕに接触する湾曲部３６と、湾曲部３６から連続し、パッキン本体２８の長手方向端面２８Ｔに接触する端片３８、さらに、端片３８から延出された２本の脚片４０とで構成されている。脚片４０は、延出方向（矢印Ａ１２方向）に沿って見たとき端面が略Ｌ字状に形成されており、２つの係止片３０の対向面３０Ｆにそれぞれ接触する内側接触面４０Ｆと、係止片３０の端部３０Ｔに接触する端部接触面４０Ｔとを有している。
【００２６】
止水部材３４は、湾曲部３６がパッキン本体２８の内面２８Ｕに接触し、端片３８がパッキン本体２８の長手方向端面２８Ｔに接触した状態で、コーナーパッキン２６の長手方向の端部に取り付けられる。このとき、２本の脚片４０の延出方向が、それぞれ係止片３０に圧接される方向（矢印Ａ３方向）となるように設定されている。このようにして脚片４０が係止片３０に装着されることで、脚片４０が係止片３０にそれぞれ圧接され、止水部材３４がコーナーパッキン２６から不用意に離脱しないようになっている。
【００２７】
次に、本実施形態の浴室用コーナー部材２４の作用を説明する。
【００２８】
図３に示すように、本実施形態の浴室用コーナー部材２４は、コーナーパッキン２６の長手方向の両端に、止水部材３４が取り付けられて構成される。取り付けは、たとえば、止水部材３４の脚片４０をわすかに矢印Ａ３と反対の方向に撓ませて２本の係止片３０の間に入れるようにし、湾曲部３６をパッキン本体２８の内面２８Ｕに接触させると共に、端片３８をパッキン本体２８の長手方向端面２８Ｔに接触させる。ここで、脚片４０の撓みを解除すれば、脚片４０が係止片３０にそれぞれ圧接され、止水部材３４がコーナーパッキン２６から不用意に離脱しなくなる。このように、簡単な手順で、止水部材３４をコーナーパッキン２６に嵌めこんで取り付けることができる。
【００２９】
図１及び図２に示すように、浴室用コーナー部材２４（止水部材３４が取り付けられた状態のコーナーパッキン２６）は、浴室１２のコーナー部１４Ｃ、すなわち直角配置された２枚の側壁パネル１８の間の隙間Ｄ２に取り付けられる。取付時には、側壁パネル１８の端面１８Ｔとコーナー支柱１６との間の間隙Ｄ１に、係止片３０が浴室１２の内側から挿入されるが、係止片３０に形成されたテーパー面３０Ｔにより、容易に挿入できる。取付状態では、係止面３０Ｋが側壁パネル１８の奥辺１８Ｋに係止され、浴室用コーナー部材２４は不用意に外れなくなる。
【００３０】
本実施形態の浴室用コーナー部材２４は、止水部材３４を有している。したがって、浴室用コーナー部材２４の取付状態では、コーナーパッキン２６の長手方向端面２８Ｔ（図３及び図４参照）と、床パネル２０及び天井パネル２２との間に、止水部材３４が配置されることになる。これにより、２枚の側壁パネル１８と床パネル２０又は天井パネル２２との間のいわゆる三方角部分を、従来のようなコーキング剤を用いることなく止水することができる。三方角部分の止水のためにコーキング剤を充填する必要がないので、作業性に優れる。また、作業者によるコーキング剤の充填状態のバラツキ（止水性のバラツキ）も解消できる。
【００３１】
なお、上記では、止水部材３４がコーナーパッキン２６の長手方向の端部にはめ込まれる構造のものを挙げており、これによって、簡便な構造で、コーナーパッキン２６と床パネル２０及び天井パネル２２との止水性を確保することを可能としている。また、止水部材３４がコーナーパッキン２６に対し着脱可能なので、止水部材３４として、好ましい材料のものを選択し、適宜取り替えて使用することも可能となる。止水部材３４をコーナーパッキン２６に着脱自在に取り付けるための構造は、上記したものに限定されない。また、止水部材３４をコーナーパッキン２６に対し、取り外し不能に一体化して取り付けた構造としてもよい。
【００３２】
さらに、上記では、コーナーパッキン２６の長手方向両端に止水部材３４を取り付けた構造を挙げているが、コーナーパッキン２６の長手方向の一体にのみ止水部材３４を取り付けても、止水部材３４を取り付けた側では、床パネル２０又は天井パネル２２との間の止水性を、コーキング剤を用いることなく確保できる。この場合には、コーナーパッキン２６の下側に止水部材３４を位置させ、コーナーパッキン２６と床パネル２０との間の止水性を確保することが好ましい。もちろん、上記実施形態のように、コーナーパッキン２６の長手方向両端に止水部材３４を取り付け、コーナーパッキン２６と床パネル２０及び天井パネル２２との隙間の止水性を確保することが、より好ましい。
【符号の説明】
【００３３】
１２  浴室
１４  浴室構造
１４Ｃ      コーナー部
１８  側壁パネル
１８Ｔ      端面
２０  床パネル
２２  天井パネル
２４  浴室用コーナー部材
２６  コーナーパッキン
２８  パッキン本体
２８Ｔ      長手方向端面
２８Ｕ      内面
３０  係止片
３２  密着片
３４  止水部材
３６  湾曲部
３８  端片
４０  脚片（装着部）
Ｄ２  隙間
【図１】
0005474652.tif 000002
【図２】
0005474652.tif 000003
【図３】
0005474652.tif 000004
【図４】
0005474652.tif 000005